(57)【要約】  果樹葉柄部その他植物体等、複数本の線状体もしくは棒状体を、簡易な構成により簡易、確実かつ効率良く束ねることのできる技術の提供を課題とした本発明結束用具１は、複数本の線状体もしくは棒状体を束ねるためのものである。該結束用具１は、図１に示すように、一対の把持用片５Ａ、５Ｂをその外周方向上に備えかつ開閉用端部３Ｔ、４Ｔを有する環体２からなり、該環体２は、該把持用片５Ａ、５Ｂを接近させることにより、通常は閉じている該開閉用端部３Ｔ、４Ｔが開くよう、弾性もしくは可撓性を備えたものであることを、主たる構成とする。【特許請求の範囲】
【請求項１】
複数本の線状体もしくは棒状体を束ねるための結束用具であって、該結束用具は、一対の把持用片をその外周方向上に備えた、開閉用端部を有する環体からなり、該環体は、該把持用片を接近させることにより、通常は閉じている該開閉用端部が開くよう、弾性もしくは可撓性を有するものであることを特徴とする、結束用具。
【請求項２】
前記一対の把持用片は、外方拡開に設けられていることを特徴とする、請求項１に記載の結束用具。
【請求項３】
前記一対の開閉用端部は、閉じた状態において両端がずれずに当接可能なように、少なくとも一方の端部に他方の端部を受け止めるための受止構造が設けられていることを特徴とする、請求項１または２に記載の結束用具。
【請求項４】
前記一対の開閉用端部は、閉じた状態において、一方が他方の外側にあって一部が重なっていることを特徴とする、請求項１または２に記載の結束用具。
【請求項５】
前記把持用片部は、前記開閉用端部に略正対して設けられていることを特徴とする、請求項１または２に記載の結束用具。
【請求項６】
前記結束用具は、植物の葉柄部・茎部その他植物体の結束に用いられることを特徴とする、請求項１ないし５のいずれかに記載の結束用具。
【請求項７】
一部または全部が生分解性材料により形成されていることを特徴とする、請求項１ないし５のいずれかに記載の結束用具。
【請求項８】
請求項１ないし７に記載の結束用具の、りんごその他の果樹栽培における果樹葉柄部結束への使用。
【請求項９】
果実とその近傍の枝との間に、該果実との接触によってもそれによる果実の損傷を防止可能な離間用資材を一または複数個挟み込んで行う固定処理とともになされることを特徴とする、請求項８に記載の結束用具の使用。
【請求項１０】
請求項１ないし７のいずれかに記載の結束用具と、りんごその他の果実との接触によってもそれによる果実の損傷を防止可能な程度の柔軟性を備えた離間用資材とからなる、果樹葉柄結束用具セット。
【請求項１１】
前記離間用資材は、略直方体形状であって、果樹の枝の表面に接しさせるための面は粘着性を有するものであることを特徴とする、請求項１０に記載の果樹葉柄結束用具セット。
【発明の詳細な説明】
【技術分野】
【０００１】
本発明は結束用具、結束用具の使用および果樹葉柄結束用具セットに係り、特に、果樹葉柄部その他植物体等、複数本の線状体もしくは棒状体を、簡易な構成により簡易かつ確実に束ねることのできる、結束用具、結束用具の使用および果樹葉柄結束用具セットに関する。 
【背景技術】
【０００２】
本願出願人は先に、りんご等果樹栽培において葉摘みをすることなしに、果実を偏りなく着色促進させることのできる果実着色促進方法を提供することを課題として、果実軸部付近の葉の葉柄部を結束用資材を用いて結束することによって、葉による果実に対する遮光を防止するという解決手段を開示した（後掲特許文献１）。【０００３】
この発明によれば果実への採光が良好となり、また均一な日光照射が可能となり、葉摘み作業やホルモン剤や農薬を使用することなく、簡易かつ安価な方法によって、果実を偏りなく着色促進させ、商品価値を高めることができる。また、実回し作業の煩雑さの解消、着色の均一化の向上効果も得られる。【０００４】
【特許文献１】特許第３５２３２５０号「果実着色促進方法、粘着性資材の使用および果実着色促進用資材セット」
【発明の開示】
【発明が解決しようとする課題】
【０００５】
しかしながら、一層簡易な構成による解決手段が得られれば、より安価かつ効果的に、当該課題を解決することができる。特に、作業効率をより向上させることができれば、その利用を大いに拡大することができる。また、果実着色促進用途以外にも幅広く用いることのできる方法であれば、一層便利である。【０００６】
本発明が解決しようとする課題は、上記従来技術の状況を踏まえてこれをさらに改良し、果樹葉柄部その他植物体等、複数本の線状体もしくは棒状体を、簡易な構成により簡易かつ確実に、また効率良く束ねることのできる、結束用具、結束用具の使用および果樹葉柄結束用具セットを提供することである。 
【課題を解決するための手段】
【０００７】
本願発明者は上記課題について検討した結果、開閉用端部を有する適宜形状の環体を用いることでこれを解決できることを見出し、本発明に至った。すなわち、上記課題を解決するための手段として本願で特許請求もしくは少なくとも開示される発明は、以下のとおりである。 【０００８】
（１）  複数本の線状体もしくは棒状体を束ねるための結束用具であって、該結束用具は、一対の把持用片をその外周方向上に備えた、開閉用端部を有する環体からなり、該環体は、該把持用片を接近させることにより、通常は閉じている該開閉用端部が開くよう、弾性もしくは可撓性を有するものであることを特徴とする、結束用具。
（２）  前記一対の把持用片は、外方拡開に設けられていることを特徴とする、（１）に記載の結束用具。
（３）  前記一対の開閉用端部は、閉じた状態において両端がずれずに当接可能なように、少なくとも一方の端部に他方の端部を受け止めるための受止構造が設けられていることを特徴とする、（１）または（２）に記載の結束用具。【０００９】
（４）  前記一対の開閉用端部は、閉じた状態において、一方が他方の外側にあって一部が重なっていることを特徴とする、請求項１または２に記載の結束用具。
（５）  前記把持用片部は、前記開閉用端部に略正対して設けられていることを特徴とする、（１）または（２）に記載の結束用具。
（６）  前記結束用具は、植物の葉柄部・茎部その他植物体の結束に用いられることを特徴とする、（１）ないし（５）のいずれかに記載の結束用具。
（７）  一部または全部が生分解性材料により形成されていることを特徴とする、（１）ないし（５）のいずれかに記載の結束用具。【００１０】
（８）  （１）ないし（７）に記載の結束用具の、りんごその他の果樹栽培における果樹葉柄部結束への使用。
（９）  果実とその近傍の枝との間に、該果実との接触によってもそれによる果実の損傷を防止可能な離間用資材を一または複数個挟み込んで行う固定処理とともになされることを特徴とする、（８）に記載の結束用具の使用。
（１０）  （１）ないし（７）のいずれかに記載の結束用具と、りんごその他の果実との接触によってもそれによる果実の損傷を防止可能な程度の柔軟性を備えた離間用資材とからなる、果樹葉柄結束用具セット。
（１１）  前記離間用資材は、略直方体形状であって、果樹の枝の表面に接しさせるための面は粘着性を有するものであることを特徴とする、（１０）に記載の果樹葉柄結束用具セット。
【発明の効果】
【００１１】
本発明の結束用具、結束用具の使用および果樹葉柄結束用具セットは上述のように構成されるため、これによれば、果樹葉柄部その他植物体等、複数本の線状体もしくは棒状体を、簡易な構成により簡易かつ確実に、効率良く束ねることができる。【００１２】
また、本発明の結束用具等によれば、先行開示した発明と比較しても、より安価に提供でき、作業効率を大いに高めることができる。そして、果実着色促進用途以外にも、複数本の線状体もしくは棒状体を束ねる用途に、幅広く応用することができる。【００１３】
また、本発明の果樹葉柄結束用具セットによれば、先行開示した発明と比較して、果樹栽培における果実着色促進のための作業の効率を、一層高めることができる。
【図面の簡単な説明】
【００１４】
【図１】本発明の結束用具の基本的構成例を示す説明図である。
【図２−１】図１に示した例の使用状態を示す説明図であり、本例結束用具にて複数の線状体を束ねる前の状態を示す図である。
【図２−２】図１に示した例の使用状態を示す説明図であり、本例結束用具にて複数の線状体を束ねた後の状態を示す図である。
【図３】本発明の結束用具の他の構成例を示す説明図である。
【図４】本発明の結束用具の開閉用端部の構成例を示す説明図である。
【図５】本発明の結束用具の開閉用端部の別の構成例を示す説明図である。
【図６】本発明の結束用具の把持用片の構成例を示す説明図である。
【図７−１】本発明の結束用具を植物体に使用した例を示す説明図である。
【図７−２】本発明の結束用具を植物体に使用した別の例を示す説明図である。
【図８】本発明の結束用具を、果樹葉柄の結束に使用した例を示す説明図である。
【符号の説明】
【００１５】
１…結束用具
２…環体
３Ｔ、４Ｔ…開閉用端部
５Ａ、５Ｂ…把持用片
９…線状体もしくは棒状体
３１Ｃ、３１Ｄ…結束用具
３２Ｃ、３２Ｄ…環体
３５ＣＡ、３５ＣＢ、３５ＤＡ、３５ＤＢ…把持用片
４１Ｅ、４１Ｆ、４１Ｇ…結束用具
４２Ｅ、４２Ｆ、４２Ｇ…環体
４３ＥＴ、４４ＥＴ、４３ＦＴ、４４ＦＴ、４３ＧＴ、４４ＧＴ…開閉用端部
４５ＥＡ、４５ＥＢ、４５ＦＡ、４５ＦＢ、４５ＧＡ、４５ＧＢ…把持用片
【００１６】
５１…結束用具
５２…環体
５３Ｔ、５４Ｔ…開閉用端部
５５Ａ、５５Ｂ…把持用片
６１Ｈ、６１Ｉ…結束用具
６２Ｈ、６２Ｉ…環体
６５ＨＡ、６５ＨＢ、６５ＩＡ、６５ＩＢ…把持用片
７１、８１…結束用具
７２…環体
７５Ａ…把持用片
８８…離間用資材
９０…果実、  ９１…葉柄部、  ９２…葉、  ９３…枝、  ９４…束ねられる茎を有する植物体
【発明を実施するための最良の形態】
【００１７】
以下、本発明を図面により詳細に説明する。
図１は、本発明の結束用具の基本的構成例を示す説明図、
図２−１は、図１に示した例の使用状態を示す説明図であり、本例結束用具にて複数の線状体を束ねる前の状態を示す図、また、
図２−２は、同じく束ねた後の状態を示す図である。これらの図において本結束用具１は、複数本の線状体もしくは棒状体９（以下、「線状体等９」）を束ねるためのものであって、該結束用具１は、一対の把持用片５Ａ、５Ｂをその外周方向上に備えかつ開閉用端部３Ｔ、４Ｔを有する環体２からなり、該環体２は、該把持用片５Ａ、５Ｂを接近させることにより、通常は閉じている該開閉用端部３Ｔ、４Ｔが開くよう、弾性もしくは可撓性を備えたものであることを、主たる構成とする。 【００１８】
かかる構成により本結束用具１では、未使用の状態（ａ）では、該開閉用端部３Ｔ、４Ｔは合わさっていて該環体２は閉じた状態となっており、該把持用片５Ａ、５Ｂが手の指で支持されて、相互に接近するように内方に弾圧されると、該開閉用端部３Ｔ、４Ｔが開いた状態となる（ｂ）。この状態で、図２−１、２−２のように線状体等９を該環体２の内側に収容し、該把持用片５Ａ、５Ｂの指による弾圧を解除すると、図２−２のように該開閉用端部３Ｔ、４Ｔが元通りに合わさって、該環体２は閉じ、本結束用具１による線状体等９の結束がなされる。【００１９】
これらの図において該環体２は略円形に示されているが、これは例示であり、本発明の環体２はその弾性もしくは可撓性によって弾圧的に該開閉用端部３Ｔ、４Ｔが合わさって閉じられ、該把持用片５Ａ、５Ｂの弾圧によってこれが開き、該環体２の内側に線状体等９を束ねることができるものである限り、束ねるべき線状体等９の数量、同心状か列状かなど線状体等９の設けられている状態等により、楕円形、三角形、四角形その他の多角形、あるいはその他の適宜の形状のものとすることができる。【００２０】
本用具１の材質は、本発明では特に限定されず、該環体２を弾性もしくは可撓性を備えたものにできる限り、金属、樹脂、生分解性プラスチック等の土壌中などにおいて分解する材料、その他適宜のものを用いることができる。【００２１】
また、該環体２と該把持用片５Ａ等は同一の材料を用いて一体に成形することとしても、あるいはまた別途製造された各部品を合体させることとしても、どちらでもよい。【００２２】
本用具１の大きさや質量といった具体的仕様は、これが用いられる用途に応じて適宜設計することができるものであり、特に限定されず、本発明構成を有するものはすべて本発明の技術的範囲に属する。【００２３】
図１等に例示されるように、本用具１の一対の把持用片５Ａ、５Ｂは、外方拡開に設けられた構成とすることができる。これにより、指による本用具１の挟持とその弾圧による該開閉用端部３Ｔ、４Ｔの開きが、より容易となる。【００２４】
図３は、本発明の結束用具の他の構成例を示す説明図である。（ｃ）に図示するように本用具３１Ｃは、その把持用片３５ＣＡ、３５ＣＢを、それぞれの一方端部が該開閉用端部に取着され、環体３２Ｃの外周をそれぞれ逆回りに回って、他方端部が指により挟持されるように該環体３２Ｃの外方に伸びた構成とすることができる。かかる構成により、該把持用片３５ＣＡ等の強度を向上させて、本用具３１Ｃの耐久性をより高めることができる。【００２５】
図３（ｄ）は、かかる趣旨により構成された別の例である。ここで、結束用具３１Ｄは、把持用片３５ＤＡ、３５ＤＢはその把持用の端部が（ｃ）よりも近接した位置となっており、指による把持とその弾圧が、一層容易である。【００２６】
また、図示するように把持用片３５ＤＡ、３５ＤＢは、外方拡開に設けられた構成とすることができる。この場合、指による本用具３１Ｄの挟持とその弾圧による該開閉用端部の開きは、より容易とすることができる。【００２７】
図４は、本発明の結束用具の開閉用端部の構成例を示す説明図である。（ｅ）に図示するように本結束用具４１Ｅは、前記一対の開閉用端部４３ＥＴ、４４ＥＴは、閉じた状態において両端がずれずに当接可能なように、少なくとも一方の端部に他方の端部を受け止めるための受止構造が設けられていることを、特徴的な構成とする。【００２８】
（ｅ）に示すように該受止構造としては、該開閉用端部４３ＥＴ等の一方（図では４３ＥＴ）に設けられた、他方端部４４ＥＴの端面よりも大きな端面を有する構造を、簡易に用いることができる。かかる構成により、該受止構造を有する該開閉用端部４３ＥＴによって該開閉用端部４４ＥＴの端部が安定して受け止められ、両端部４３ＥＴ、４４ＥＴが閉じた状態において、両端はずれずに当接し、線状体等の確実かつ安定的な結束を得ることができる。【００２９】
図４（ｆ）の結束用具４１Ｆでは、両端部４３ＦＴ、４４ＦＴに該受止構造が設けられた例であり、両端部の当接面積がより大きいため、これらはずれずに当接し、線状体等の確実かつ安定的な結束を得ることができる。【００３０】
図４（ｇ）の結束用具４１Ｇでは、一方の開閉用端部４３ＧＴを、他方端部４４ＧＴの端部形状と嵌合するような凹状の形状とした例であり、両端部４３ＧＴ、４４ＧＴを確実に嵌合させることができるため、線状体等の、一層確実かつ安定的な結束を得ることができる。【００３１】
図５は、本発明の結束用具の開閉用端部の別の構成例を示す説明図である。図示するように本結束用具５１は、前記一対の開閉用端部５３Ｔ、５４Ｔが、閉じた状態において一方（５４Ｔ）が他方（５３Ｔ）の外側にあって、それらの一部が重なっている状態のものとして構成することができる。かかる構成により、環体５２が多少開き気味になった場合であっても該両端部５３Ｔ、５４Ｔは容易には開かず、線状体等の該環体５２からの遊離を防止し、確実かつ安定的な結束を得ることができる。【００３２】
以上、各図に例示されたように本発明の結束用具は、前記把持用片部を、前記開閉用端部に略正対して設ける構成とすることができるが、本発明はこれに限定されない。
図６は、本発明の結束用具の把持用片の構成例を示す説明図である。（ｈ）、（ｉ）に例示するように本結束用具６１Ｈ等では、把持用片部６５ＨＡ等と開閉用端部との位置関係を特に限定せずに自由に設定することができる。【００３３】
図７−１は、本発明の結束用具を植物体に使用した例を示す説明図である。図示するように本発明結束用具７１は、りんごその他の果樹栽培における果樹葉柄部結束への使用など、植物の葉柄部９１の結束に用いることができる。【００３４】
本用具７１を用いた果樹葉柄部結束は、たとえば、一方の手で果実９０上部の葉９２を掴んで葉柄部９１をある程度束ねた状態にまとめておく。そして他方の手の親指と人差し指を使って把持用片７５Ａ等をつまみ、これを弾圧して開閉用端部を開く。開いた環体７２の内側に葉柄部９１を納めるようにあてがい、該把持用片７５Ａ等の指による弾圧を解除することによって、葉柄部９１は本用具７１によって確実かつ安定的に束ねられた状態となる。【００３５】
本結束用具７１を用いてこのように束ねることにより、りんご等果実９０に対する葉９２による遮蔽が防止され、実回し作業をすることなく、陽光による果実９０の均一な着色が促進される。上記特許文献１に開示した技術と比較して、より簡便かつ効率的に作業することができる。【００３６】
図７−２は、本発明の結束用具を植物体に使用した別の例を示す説明図である。図示するように本結束用具７１は、束ねられる茎を有する植物体９４の結束に用いることも、もちろん可能であり、またかかる用途に限定されるものではない。【００３７】
上述のように本発明結束用具の材質としては、一部または全部を、生分解性材料により構成することができる。たとえば図７−１、７−２に例示したような用途においては、使用後に敢えてこれを回収せず、地面に落下させることができれば、作業は便宜である。このような場合に、本用具を生分解性プラスチック等によって形成することは有用である。生分解性プラスチック等の材料は、従来提供されているものを適宜用いることができ、本発明は具体的材料に限定されない。【００３８】
図８は、本発明の結束用具を果樹葉柄の結束に使用した例を示す説明図である。図示するように本結束用具８１は、果実９０とその近傍の枝９３との間に、該果実９０との接触によってもそれによる果実９０の損傷を防止可能なように形成された離間用資材８８を、一または複数個（図では１個）挟み込んで行う固定処理とともに用いることができる。ここに示した結束用具８１と離間用資材８８とは、これらを合わせて果樹葉柄結束用具セットとして取り扱うことができる。【００３９】
かかる方法により、果実９０が風などによって枝９３等に接触して損傷することを、効果的に防止することができる。【００４０】
該離間用資材８８としては、発泡スチロール等の発泡樹脂、その他適宜の柔軟性を備えた材料を、適宜用いることができる。またその形状や大きさも、対象果樹に応じて適宜設計することができる。該離間用資材８８は図示するようにこれを略直方体形状とすることができる。【００４１】
また該離間用資材８８は、果樹の枝９３の表面に接しさせるための面を、粘着性を有する構成にもできる。粘着性は、剥離紙に被覆された接着剤塗布面など、適宜の方法により備えさせることができる。これにより、果実９０と枝９３との離間を確実かつ安定的に維持することができる。
【産業上の利用可能性】
【００４２】
本発明の結束用具、結束用具の使用および果樹葉柄結束用具セットによれば、果樹葉柄部その他植物体等、複数本の線状体もしくは棒状体を、簡易な構成により簡易かつ確実に、また効率良く束ねることができ、たとえば果樹栽培における果実着色促進のための作業の効率を、一層高めることができるなど、産業上利用価値が極めて高い発明である。 
【図１】
2006092828.tif 000002
【図２−１】
2006092828.tif 000003
【図２−２】
2006092828.tif 000004
【図３】
2006092828.tif 000005
【図４】
2006092828.tif 000006
【図５】
2006092828.tif 000007
【図６】
2006092828.tif 000008
【図７−１】
2006092828.tif 000009
【図７−２】
2006092828.tif 000010
【図８】
2006092828.tif 000011
【国際調査報告】
2006092828.tif 000012
2006092828.tif 000013
2006092828.tif 000014
2006092828.tif 000015